(57)【特許請求の範囲】
【請求項１】
空気調和装置の前面パネルに覆われた位置に配設される操作器において、
回路基板に固定されるとともに、操作のための突起が設けられた１つ以上のスイッチ本体と、
おのおのの前記スイッチ本体に対応して設けられ、前記スイッチ本体を覆うとともに、前記突起を突出させるための孔が形成された絶縁性材質からなる１つ以上のカバー部材と、
前記カバー部材を前記スイッチ本体におのおの嵌合して固定する絶縁性弾性材質からなる１つ以上のスリーブ部材と、
おのおのの前記スイッチ本体に対応して設けられ、前記孔から突出した前記突起に嵌合する１つ以上のつまみ部材と、
前記回路基板全体を覆うとともに、前記つまみ部材を突出させるための１つ以上の窓が形成されたカバーを備えたことを特徴とする操作器。
【請求項２】
前記カバー部材は、必要な耐電圧特性が得られる程度に薄く形成されていることを特徴とする請求項１の操作器。
【発明の詳細な説明】
【０００１】
【発明の属する技術分野】
本発明は、空気調和装置の前面パネルに覆われた位置に配設される操作器に関する。
【０００２】
【従来の技術】
一般に、空気調和装置の室内ユニットは、図２に示すように、ユニット筐体１の前面に吸気のための吸込グリル２が設けられるとともに、上面に吸込口３が設けられている。また、吸込グリル２の内側には、塵埃除去のためのエアフィルタ４、および、より小さい汚れを除去するための空気清浄フィルタ５が設けられている。
【０００３】
また、冷却空気または暖房空気は、ユニット筐体１の下面に設けられた吹出口６から排出され、また、この吹出口６には、上下方向の風向きを調整するためのフラップ７および左右方向の風向きを調整するための左右風向調整羽８がそれぞれ設けられている。
【０００４】
また、ユニット筐体１には、ユニット操作部（後述）が設けられており、このユニット操作部は、吸込グリル２で隠されている。したがって、図３（ａ）に示すように、吸込グリル２を開くと、ユニット筐体１に配設されているユニット操作部９を操作することができる。
【０００５】
このユニット操作部９は、同図（ｂ）に示すように、点検・サービス用の自己診断ランプ９ａ，９ｂ，９ｃ、この室内ユニットを、複数の室内ユニットの１つとして使用する際に指定するアドレスを設定するためのアドレス設定つまみ９ｄ、運転態様を設定するための運転つまみ９ｅ、および、複数のリモコンを使用する際にこの室内ユニットを操作するリモコンのアドレスを指定するためのリモコンアドレスつまみ９ｆが設けられている。
【０００６】
図４は、ユニット操作部９の構成の一例を示している。
【０００７】
同図において、回路基板１０には、自己診断ランプ９ａ，９ｂ，９ｃをそれぞれ構成する発光ダイオード、アドレス設定つまみ９ｄにより接点が切り換えられるロータリスイッチ１１、運転つまみ９ｅにより接点が切り換えられるスライドスイッチ１２、および、リモコンアドレスつまみ９ｆにより接点が切り換えられるスライドスイッチ１３が配設されており、この回路基板１０は、絶縁材質からなるカバー１４によって覆われている。
【０００８】
また、カバー１４の上面１４ａには、自己診断ランプ９ａ，９ｂ，９ｃの表示が見えるようにするための窓１４ｂ，１４ｃ，１４ｄが形成されるとともに、アドレス設定つまみ９ｄ、運転つまみ９ｅ、および、リモコンアドレスつまみ９ｆをそれぞれ通過させ、操作可能にするための窓１４ｅ，１４ｆ，１４ｇが形成されている。
【０００９】
したがって、通常の使用状態では、ユニット操作部９は、カバー１４の耐電圧性能により、静電気から保護された状態になっている。
【００１０】
【発明が解決しようとする課題】
しかしながら、従来、このユニット操作部９には、次のような不都合を生じていた。
【００１１】
すなわち、冬季、空気調和装置が暖房運転されて、室内ユニットの内部を含めた室内が乾燥するとし、静電気が発生しやすくなる。特に、人体には、１０ＫＶ程度の静電気が帯電することがあり、ドアの取手などの金属材質との間でスパークが飛ぶなどの事態が発生する。
【００１２】
ここで、室内ユニットを点検等するために、サービスマンが吸込グリル２を開いて、ユニット操作部９を露出し、ユニット操作部９を操作するとき、図５に示すように、サービスマンに帯電していた静電気が、ユニット操作部９の内部要素（ロータリスイッチ１１、または、スライドスイッチ１２，１３など）との間に走り、その結果、回路基板１０に搭載されている電気部品や電子部品を破損するという事態を生じるおそれがあった。
【００１３】
本発明は、かかる実情に鑑みてなされたものであり、耐電圧性能の良好な操作器を提供することを目的としている。
【００14】
【課題を解決するための手段】
本発明は、空気調和装置の前面パネルに覆われた位置に配設される操作器において、回路基板に固定されるとともに、操作のための突起が設けられた１つ以上のスイッチ本体と、おのおのの前記スイッチ本体に対応して設けられ、前記スイッチ本体を覆うとともに、前記突起を突出させるための孔が形成された絶縁性材質からなる１つ以上のカバー部材と、前記カバー部材を前記スイッチ本体におのおの嵌合して固定する絶縁性弾性材質からなる１つ以上のスリーブ部材と、おのおのの前記スイッチ本体に対応して設けられ、前記孔から突出した前記突起に嵌合する１つ以上のつまみ部材と、前記回路基板全体を覆うとともに、前記つまみ部材を突出させるための１つ以上の窓が形成されたカバーを備えたものである。
【００１６】
また、前記カバー部材は、必要な耐電圧特性が得られる程度に薄く形成するようにするとよい。
【００１７】
【発明の実施の形態】
以下、添付図面を参照しながら、本発明の実施の形態を詳細に説明する。
【００１８】
図１は、本発明の一実施例にかかるユニット操作部を示している。なお、同図において、図４と同一部分には、同一符号を付している。
【００１９】
同図において、回路基板１０には、自己診断ランプ９ａ，９ｂ，９ｃをそれぞれ構成する発光ダイオード、アドレス設定つまみ９ｄにより接点が切り換えられるロータリスイッチ１１、運転つまみ９ｅにより接点が切り換えられるスライドスイッチ１２、および、リモコンアドレスつまみ９ｆにより接点が切り換えられるスライドスイッチ１３が配設されている。
【００２０】
また、ロータリスイッチ１１には、周囲を覆う絶縁材質のカバー部材２０が設けられ、このカバー部材２０は、絶縁性弾性材質からなるスリーブ部材２１により、ロータリスイッチ１１の周面に固定されている。また、カバー部材２０には、ロータリスイッチ１１の突起１１ａを突出させてアドレス設定つまみ９ｄに嵌合できるように孔２０ａが形成されている。
【００２１】
また、スライドスイッチ１２，１３には、周囲を覆う絶縁材質のカバー部材２２，２３が設けられ、このカバー部材２２，２３は、絶縁性弾性材質からなるスリーブ部材２４，２５により、それぞれスライドスイッチ１２，１３の周面に固定されている。また、カバー部材２２，２３には、それぞれスライドスイッチ１２，１３の突起１２ａ，１３ａをそれぞれ突出させて、おのおの運転つまみ９ｅおよびリモコンアドレスつまみ９ｆに嵌合できるように孔２２ａ，２３ａがそれぞれ形成されている。
【００２２】
また、この回路基板１０は、絶縁材質からなるカバー１４によって覆われており、回路基板１０は、カバー１４にネジ２６により固定される。また、カバー１４の上面１４ａには、自己診断ランプ９ａ，９ｂ，９ｃの表示が見えるようにするための窓１４ｂ，１４ｃ，１４ｄが形成されるとともに、アドレス設定つまみ９ｄ、運転つまみ９ｅ、および、リモコンアドレスつまみ９ｆをそれぞれ通過させ、操作可能にするための窓１４ｅ，１４ｆ，１４ｇが形成されている。
【００２３】
ここで、カバー部材２０，２２，２３は、それぞれ薄板状の折り曲げ部材を用いることができる。この折り曲げ部材の厚さ寸法は、例えば、０．２〜０．３（ｍｍ）程度である。また、カバー部材２０，２２，２３の材質としては、例えば、塩化ビニル等の絶縁性樹脂を用いることができる。同様に、スリーブ部材２１，２４，２５の材質としては、例えば、軟質塩化ビニル等の弾性のある絶縁性樹脂を用いることができる。
【００２４】
このようにして、本実施例では、ロータリスイッチ１１およびスライドスイッチ１２，１３のケース本体の周囲をカバー部材２０，２２，２３により絶縁したので、耐電圧性能としては、１２〜１５ＫＶを得ることができ、冬季運転時のサービスマンの操作による静電気破壊を、未然に防止することができる。
【００２５】
なお、上述した実施例では、スイッチの周囲を覆うカバー部材を、折り曲げ部材として実現したが、箱形の整形部材を用いることもできる。その場合、スリーブ部材は不要となる。
【００２６】
【発明の効果】
以上説明したように、本発明によれば、スイッチのケース本体の周囲をカバー部材により絶縁したので、耐電圧性能としては、１２〜１５ＫＶを得ることができ、冬季運転時のサービスマンの操作による静電気破壊を、未然に防止することができるという効果を得る。
【図面の簡単な説明】
【図１】本発明の一実施例にかかるユニット操作部を示した概略分解斜視図。
【図２】空気調和装置の室内ユニットの一例を示した概略斜視図。
【図３】ユニット操作部の一例を示した概略図。
【図４】ユニット操作部の構成の従来例を示した概略分解斜視図。
【図５】従来装置の不具合を説明するための概略斜視図。
【符号の説明】
２０，２２，２３  カバー部材
２１，２４，２５  スリーブ部材
【図１】
0003802156.tif 000002
【図２】
0003802156.tif 000003
【図３】
0003802156.tif 000004
【図４】
0003802156.tif 000005
【図５】
0003802156.tif 000006